(57)【要約】【課題】ユーザが印刷を指示する印刷装置を柔軟に修正して、分散印刷を行うことができなかった。【解決手段】印刷管理サーバ２０は、ジョブを投入したユーザのユーザ認証情報が設定され、かつ、関係性を有する複数のジョブに対して、複数のジョブに共通の関係情報を設定する情報設定部２１ｃと、複数の印刷装置３０毎に異なるジョブを配信するジョブ配信部２１ｄと、複数の印刷装置３０のうち、ユーザにより指定された印刷装置３０に対して、関係情報が一致するジョブに基づく分散印刷を指示する分散印刷指示部２１ｅと、を有する。印刷装置３０は、認証部３２ｂにより正当と認証されたユーザ認証情報が一致し、かつ関係情報が一致する、ユーザ認証情報及び関係情報が設定されたジョブを記憶部３３から抽出し、ジョブを実行するジョブ実行部３２ｃを備える。【選択図】図２
2020107029.tif 000002
【特許請求の範囲】
【請求項１】
印刷管理サーバと、前記印刷管理サーバに対してネットワークを介して接続された複数の印刷装置と、を備え、
前記印刷管理サーバは、
ジョブを投入したユーザのユーザ認証情報が設定され、かつ、関係性を有する複数のジョブに対して、複数の前記ジョブに共通の関係情報を設定する情報設定部と、
複数の前記印刷装置毎に異なる前記ジョブを配信するジョブ配信部と、
複数の前記印刷装置のうち、前記ユーザにより指定された前記印刷装置に対して、前記関係情報が一致する前記ジョブに基づく分散印刷を指示する分散印刷指示部と、を有し、
前記印刷装置は、
前記ジョブ配信部から受信した前記ジョブを記憶する記憶部と、
入力された前記ユーザ認証情報に基づいて前記ユーザを認証する認証部と、
前記認証部により正当と認証された前記ユーザ認証情報が一致し、かつ前記関係情報が一致する、前記ユーザ認証情報及び前記関係情報が設定された前記ジョブを前記記憶部から抽出し、前記ジョブを実行するジョブ実行部と、を備える
分散印刷システム。
【請求項２】
前記印刷管理サーバは、前記ジョブを分割するジョブ分割部を有し、
前記情報設定部は、分割された前記ジョブの各々に対して、前記ユーザ認証情報及び前記関係情報を設定し、
前記ジョブ配信部は、分割された前記ジョブを複数の前記印刷装置に配信する
請求項１に記載の分散印刷システム。
【請求項３】
前記印刷装置は、前記ジョブ実行部が実行する前記ジョブに関する実行情報を前記印刷管理サーバに通知する通知部を有し、
前記印刷管理サーバの前記分散印刷指示部は、前記印刷装置から通知された前記実行情報に基づいて、前記ジョブ実行部により実行された前記ジョブに設定される前記ユーザ認証情報及び前記関係情報と、他の前記ジョブに設定される前記ユーザ認証情報及び前記関係情報とが一致する場合に、他の前記ジョブが配信された他の前記印刷装置に対し、他の前記ジョブに基づく分散印刷を指示する
請求項２に記載の分散印刷システム。
【請求項４】
前記印刷装置は、前記ジョブ実行部が実行する前記ジョブに設定された前記関係情報と、前記認証部が前記ユーザを正常に認証したことを表す認証結果情報を、他の前記印刷装置に通知する通知部を有し、
他の前記印刷装置は、前記印刷装置から受信した前記関係情報及び前記認証結果情報が、他の前記印刷装置が有する記憶部から抽出した前記ジョブに設定される前記関係情報及び前記認証結果情報と一致する場合に、他の前記印刷装置が有するジョブ実行部が前記ジョブを実行する
請求項２に記載の分散印刷システム。
【請求項５】
前記情報設定部は、前記ジョブに対する分散印刷の実行可否、前記ジョブの名称、前記ジョブに設定された前記ユーザ認証情報、前記印刷指示が行われた時間、前記ジョブの原稿情報、印刷設定情報、及び前記ジョブを投入したクライアント端末の情報のうち、少なくとも一つ以上の情報に基づいて前記関係情報を設定する
請求項１〜４のいずれか一項に記載の分散印刷システム。
【請求項６】
前記印刷装置は、前記ユーザからの操作入力を受け付け、前記記憶部に記憶される前記ジョブを表示する操作表示部と、
前記操作表示部に表示される画面の制御を行う表示制御部と、を有し、
前記ジョブ実行部は、同じ前記ユーザ認証情報が設定された前記ジョブを実行するか否かを前記操作入力の内容により判断する
請求項１〜５のいずれか一項に記載の分散印刷システム。
【請求項７】
前記操作入力の内容に基づいて、前記表示制御部は、同じ前記ユーザ認証情報が設定された前記ジョブを印刷対象として表示し、又は表示しない選択を行う
請求項６に記載の分散印刷システム。
【請求項８】
前記表示制御部は、前記操作入力により指定された前記ジョブに前記関係情報が設定されたことを前記印刷管理サーバに通知し、
前記ジョブ実行部は、前記関係情報が設定された前記ジョブを実行して印刷を開始する
請求項６又は７に記載の分散印刷システム。
【請求項９】
前記表示制御部は、前記ジョブの実行前に、印刷対象となった前記ジョブの一覧を前記画面に表示させる制御を行う
請求項６又は７に記載の分散印刷システム。
【請求項１０】
前記操作表示部は、前記関係情報が設定された前記ジョブが印刷対象であることを前記画面に表示し、前記操作入力により、前記印刷対象に含まれる前記ジョブの追加又は削除を受け付ける
請求項６又は７に記載の分散印刷システム。
【請求項１１】
前記表示制御部は、前記ユーザにより起点として選択された前記ジョブに設定された前記関係情報と一致する前記関係情報が設定された他の前記ジョブと、一致しない前記関係情報が設定された他の前記ジョブとの表示形態を変えて前記操作表示部に表示させる
請求項６又は７に記載の分散印刷システム。
【請求項１２】
前記表示制御部は、前記操作表示部から通じて起点として選択された前記ジョブに関する情報を前記印刷管理サーバに送信し、
前記印刷管理サーバは、前記ジョブに設定された前記関係情報と一致する前記関係情報が設定された他の前記ジョブ、及び前記印刷装置で印刷対象として選択された他の前記ジョブの出力順を並び替える指示を行い、
前記印刷装置の前記ジョブ実行部は、前記指示に従って前記ジョブを並び替えて前記ジョブを実行する
請求項６又は７に記載の分散印刷システム。
【請求項１３】
前記ジョブ実行部は、実行する前記ジョブに設定される前記ユーザ認証情報及び前記関係情報が一致し、他の前記印刷装置に記憶される前記ジョブを実行させる指示を他の前記印刷装置に行う
請求項６又は７に記載の分散印刷システム。
【請求項１４】
前記表示制御部は、前記ジョブの実行中又は実行後に、実行された前記ジョブの一覧と、前記ジョブを実行した前記印刷装置の一覧とを前記画面に表示させる制御を行う
請求項６〜１３のいずれか一項に記載の分散印刷システム。
【請求項１５】
ジョブを投入したユーザのユーザ認証情報が設定され、かつ、関係性を有する複数のジョブに対して、複数の前記ジョブに共通の関係情報を設定する情報設定部と、
ネットワークを介して接続された複数の印刷装置毎に異なる前記ジョブを配信するジョブ配信部と、
複数の前記印刷装置のうち、前記ユーザにより指定された前記印刷装置に対して、前記関係情報が一致する前記ジョブに基づく分散印刷を指示する分散印刷指示部と、を備える
情報処理装置。
【発明の詳細な説明】
【技術分野】
【０００１】
本発明は、分散印刷システム及び情報処理装置に関する。
【背景技術】
【０００２】
機密文書を印刷する方法として、一般に印刷装置に対して印刷ジョブを投入した後、実際にユーザが、ジョブを投入した印刷装置でユーザ認証(あるいはパスワード入力)を行った時点で印刷を開始するように制御する、いわゆるセキュリティ印刷がある。セキュリティ印刷の開始時には、用紙を出力する印刷装置でユーザ認証を受けることにより、そのユーザが印刷装置の前に居ることが担保される。このため、他人が印刷物を覗き見する等の情報漏洩を防止することができる。
【０００３】
分散印刷に用いられる技術として、例えば、特許文献１には、ユーザがユーザ認証情報を入力した印刷装置を基点とし、該基点の印刷装置と同時に見渡すことのできる印刷装置のみを印刷ジョブの分担先に設定できるように制限する技術が開示されている。
【先行技術文献】
【特許文献】
【０００４】
【特許文献１】特開２０１６−１４３２８６号公報
【発明の概要】
【発明が解決しようとする課題】
【０００５】
特許文献１に開示された技術では、ユーザが目視可能な範囲内で印刷を実行する印刷装置群（分担先）を予め指定することでセキュリティが確保される。しかし、印刷を分担する印刷装置をユーザが見える範囲以上に拡大したい場合や、オフィス内の印刷装置の配置の変更がある場合には、その都度、分担先である印刷装置を修正する必要がある。このため、分散印刷を柔軟に行うことができなかった。
【０００６】
本発明はこのような状況に鑑みて成されたものであり、利便性の高い分散印刷を可能とすることを目的とする。
【課題を解決するための手段】
【０００７】
上述した目的のうち少なくとも一つを実現するために、本発明の一側面を反映した分散印刷システムは、印刷管理サーバと、印刷管理サーバに対してネットワークを介して接続された複数の印刷装置と、を備える。
印刷管理サーバは、ジョブを投入したユーザのユーザ認証情報が設定され、かつ、関係性を有する複数のジョブに対して、複数のジョブに共通の関係情報を設定する情報設定部と、複数の印刷装置毎に異なるジョブを配信するジョブ配信部と、複数の印刷装置のうち、ユーザにより指定された印刷装置に対して、関係情報が一致するジョブに基づく分散印刷を指示する分散印刷指示部と、を有する。
印刷装置は、ジョブ配信部から受信したジョブを記憶する記憶部と、入力されたユーザ認証情報に基づいてユーザを認証する認証部と、認証部により正当と認証されたユーザ認証情報が一致し、かつ関係情報が一致する、ユーザ認証情報及び関係情報が設定されたジョブを記憶部から抽出し、ジョブを実行するジョブ実行部と、を有する。
【０００８】
また、本発明に係る情報処理装置は、ジョブを投入したユーザのユーザ認証情報が設定され、かつ、関係性を有する複数のジョブに対して、複数のジョブに共通の関係情報を設定する情報設定部と、ネットワークを介して接続された複数の印刷装置毎に異なるジョブを配信するジョブ配信部と、複数の印刷装置のうち、ユーザにより指定された印刷装置に対して、関係情報が一致するジョブに基づく分散印刷を指示する分散印刷指示部と、を備える。
【発明の効果】
【０００９】
本発明によれば、ジョブに設定されたユーザ認証情報が同じであり、かつ、このジョブと関係性を有するジョブが、ユーザにより指定された印刷装置で実行され、分散印刷が行われるようになるため、分散印刷の利便性が向上する。
上記した以外の課題、構成及び効果は、以下の実施の形態の説明により明らかにされる。
【図面の簡単な説明】
【００１０】
【図１】本発明の一実施の形態に係る分散印刷システムの構成例を示す概要図である。
【図２】本発明の一実施の形態に係る印刷管理サーバの内部構成例を示すブロック図である。
【図３】本発明の一実施の形態に係る印刷管理サーバのハードウェア構成例を示すブロック図である。
【図４】本発明の一実施の形態に係る印刷装置の内部構成例を示すブロック図である。
【図５】本発明の一実施の形態に係る印刷装置の主要部の構成例を示すハードウェア構成図である。
【図６】本発明の一実施の形態に係るセキュアジョブを分割して、複数の印刷装置に分割ジョブを送信する処理の例を示す説明図である。
【図７】本発明の一実施の形態に係る複数の印刷装置に分散された分割ジョブとグループの例を示す説明図である。
【図８】本発明の一実施の形態に係るキューに蓄積されたジョブの配置がジョブＩＤの順番でない例を示す説明図である。
【図９】本発明の一実施の形態に係る分散印刷システムの各装置で行われる処理の例を示すフローチャートである。
【図１０】本発明の一実施の形態に係る印刷管理サーバと、他の印刷装置の処理の例を示すフローチャートである。
【図１１】本発明の一実施の形態に係る通常のジョブの選択画面の表示例を示すユーザ・インターフェイス図である。
【図１２】本発明の一実施の形態に係る他の印刷装置に記憶されるジョブを表示可能な選択画面の表示例を示すユーザ・インターフェイス図である。
【図１３】本発明の一実施の形態に係る同じグループＩＤのジョブだけが表示される選択画面の表示例を示すユーザ・インターフェイス図である。
【図１４】本発明の一実施の形態に係る起点となるジョブと同じグループＩＤが設定されるジョブと、起点となるジョブに関係するジョブとが表示される選択画面の表示例を示すユーザ・インターフェイス図である。
【図１５】本発明の一実施の形態に係る印刷結果画面の表示例を示すユーザ・インターフェイス図である。
【発明を実施するための形態】
【００１１】
以下、本発明を実施するための形態について、添付図面を参照して説明する。本明細書及び図面において、実質的に同一の機能又は構成を有する構成要素については、同一の符号を付することにより重複する説明を省略する。
【００１２】
［一実施の形態］
図１は、分散印刷システム１の構成例を示す概要図である。
分散印刷システム１は、ネットワーク２に接続されたクライアントＰＣ１０（情報処理装置の一例）、印刷管理サーバ２０、複数台の印刷装置３０（１）〜（４）を備える。印刷装置３０（１）〜（４）を区別しない場合には、印刷装置３０と総称する。ネットワーク２は、例えば、ＬＡＮ（Local Area Network）等である。
【００１３】
分散印刷システム１を使って機密文書のセキュア印刷を行う場合、クライアントＰＣ１０を操作するユーザは、クライアントＰＣ１０に表示されるジョブの設定画面よりセキュリティ印刷モードを設定する。そして、ユーザは、ユーザ認証情報であるユーザＩＤとパスワードを設定画面から入力することで、ジョブにユーザ認証情報を設定できる。なお、ユーザ認証情報は、クライアントＰＣ１０にログインしたユーザに固有の情報であるため、ユーザがクライアントＰＣ１０を使ってジョブを投入した時点で、プリンタドライバ等によりジョブに自動的に設定されてもよい。その後、クライアントＰＣ１０は、ユーザ認証情報が設定されたジョブをネットワーク２を通じて印刷管理サーバ２０に送信する処理を行う。
【００１４】
ここで、ユーザは、複数台の印刷装置３０がそれぞれ一又は複数のジョブを分担して印刷する、分散印刷を指定可能である。ユーザが分散印刷を指定すると、クライアントＰＣ１０から印刷管理サーバ２０に対して、ジョブのデータに加えて、分散印刷である旨の通知が行われる。
【００１５】
印刷管理サーバ２０は、クライアントＰＣ１０から受信したジョブを蓄積する。そして、印刷管理サーバ２０は、各印刷装置の性能、紙残量、待機中のジョブなどを考慮し、部単位、ページ単位、カラー／モノクロ印刷等などを加味して、複数の印刷装置３０に最適に分散できるようにジョブを分割し、分割ジョブを生成する。その際、印刷管理サーバ２０は、分割ジョブに対して、分割前のジョブ（元のジョブ）とは異なるジョブＩＤを新規に付与する。例えば、分割前のジョブにジョブＩＤとして「１」が付与されていれば、このジョブを２つに分割した分割ジョブには、それぞれ「１−１」、「１−２」というジョブＩＤが付与される。分割ジョブに新規に付与されるジョブＩＤは、各ジョブで一意の番号である。また、印刷管理サーバ２０は、分割元の親ジョブの情報（ジョブ名やジョブＩＤ等の識別情報）と、分割ジョブは、何番目のジョブなのかといった子情報（例えば、５分割ジョブのうちの２番目等）を併せて保持しておき、ジョブを管理する。
【００１６】
その後、印刷管理サーバ２０は、適切な印刷装置３０に分割ジョブを配信する。そして、印刷管理サーバ２０は、ユーザから印刷指示を受信すると、分割ジョブを受信した各印刷装置３０に対して印刷開始を指示する。ユーザからの印刷指示は、クライアントＰＣ１０への操作により、又はユーザが印刷装置３０を操作することで行われる。
【００１７】
印刷装置３０は、印刷管理サーバ２０からジョブを受信した後、印刷開始の指示に基づいて印刷を行い、画像が印刷された用紙を排紙トレイに排出する。なお、印刷装置３０は、ユーザが印刷装置３０にログインするまで印刷を待ち、ユーザにより印刷指示が行われた後に、印刷開始してもよい。
【００１８】
また、ネットワーク２に接続された印刷装置３０は、他の印刷装置３０と通信可能である。このため、ユーザが認証情報を入力した印刷装置３０がジョブを実行する際、他の印刷装置３０においても自動的にジョブの実行（「ジョブの印刷」とも呼ぶ）が開始される。ただし、他の印刷装置３０が記憶するジョブによっては、ユーザからの明示的な印刷指示が行われるまで他の印刷装置３０が印刷を待機してもよい。
【００１９】
図１では、印刷管理サーバ２０をクライアントＰＣ１０と分けて記載したが、システム構成上、クライアントＰＣ１０に、印刷管理サーバ２０のサーバ機能が搭載されてもよい。この場合、クライアントＰＣ１０が、印刷管理サーバ２０として動作する。
【００２０】
＜印刷管理サーバの内部構成＞
図２は、印刷管理サーバ２０の内部構成例を示すブロック図である。
【００２１】
印刷管理サーバ２０は、制御部２１及び記憶部２２を備える。
制御部２１は、ジョブ管理部２１ａ、ジョブ分割部２１ｂ、情報設定部２１ｃ、ジョブ配信部２１ｄ、分散印刷指示部２１ｅ及び通信部２１ｆを備える。
【００２２】
記憶部２２は、ジョブ記憶領域２２ａにジョブや分割ジョブを記憶する他、ジョブＩＤ記憶領域２２ｂ、グループＩＤ記憶領域２２ｃを有する。
【００２３】
ジョブ管理部２１ａは、通信部２１ｆがネットワーク２を介してクライアントＰＣ１０から受信したジョブに対して、ジョブを一意に識別可能な情報としてジョブＩＤ（ジョブ識別情報の一例）を設定して管理する。クライアントＰＣ１０から受信したジョブは、記憶部２２のジョブ記憶領域２２ａに記憶される。また、ジョブに設定されたジョブＩＤは、記憶部２２に設けられたジョブＩＤ記憶領域２２ｂに記憶される。なお、クライアントＰＣ１０から受信した時点で既にジョブＩＤが設定されていれば、ジョブ管理部２１ａがこのジョブから抽出したジョブＩＤをジョブＩＤ記憶領域２２ｂに記憶する。
【００２４】
ジョブ分割部２１ｂは、ジョブ記憶領域２２ａに記憶されるジョブを任意の数に分割する。ジョブ分割部２１ｂが、ジョブを分割する基準としては、例えば、ページ毎、データ量毎、用紙の種類毎がある。例えば、大量ページの印刷が要求されるジョブであれば、分割した複数のページを、複数の印刷装置３０が別々に印刷可能となるようにジョブが分割される。
【００２５】
情報設定部２１ｃは、ジョブを投入したユーザのユーザ認証情報が設定され、かつ、関係性を有する複数のジョブに対して、複数のジョブに共通するグループＩＤ（関係情報の一例）を設定する。ジョブに設定されたグループＩＤは、記憶部２２に設けられたグループＩＤ記憶領域２２ｃに記憶される。ジョブの関係性の有無は、分割前のジョブ、分割ジョブのいずれに対しても判断される。また、情報設定部２１ｃは、分割されたジョブの各々に対して、ユーザ認証情報及びグループＩＤを設定することができる。
【００２６】
グループＩＤにより、分散印刷における複数のジョブの関係性が示される。例えば、情報設定部２１ｃは、分割前のジョブ（親）と、分割後のジョブ（子）の親子関係の関係性を、グループＩＤで表すことができる。例えば、ジョブＩＤが、「１−１」、「１−２」であれば、分割前のジョブのジョブＩＤが「１」であり、このジョブが分割されて「１−１」、「１−２」のジョブＩＤが設定されたという親子関係が判明する。
【００２７】
このように情報設定部２１ｃは、ジョブに対する分散印刷の実行可否、ジョブの名称、ジョブに設定されたユーザ認証情報、印刷指示が行われた時間、ジョブの原稿情報、印刷設定情報、及びジョブを投入したクライアント端末の情報のうち、少なくとも一つ以上の情報に基づいてグループＩＤを設定する。
【００２８】
ここで、情報設定部２１ｃが、分割ジョブを含む複数のジョブの関係性を判断する条件（１）〜（４）の具体例を以下に挙げる。
（１）ジョブの名称において、特定の文字列が一致している場合
例：分散＿２０１８０９１８＿（展示会用ポスター）．００１，分散＿２０１８０９１８＿（展示会用ポスター）．００２，分散＿２０１８０９１８＿（展示会用ポスター）．００３のようにドット”．”の前方の文字列が一致している場合
（２）ジョブを投入したユーザ情報及びクライアントＰＣ１０の情報が一致している場合
例：ユーザＡかつ、クライアントＰＣ１０（ＩＰアドレス１９２．１６８．ｘ．ｘｘ）から投入されたジョブ
（３）ジョブの原稿及び印刷設定情報が一致している場合
例：原稿のサイズが「Ａ４・フルカラー」で複数ページあり、かつジョブの印刷設定情報が「両面印刷・面付け（４ＵＰ等）・１２００ｄｐｉ・オートカラー」であるもの
（４）ジョブの投入時間が一定範囲以内だった場合
例：最初のセキュアジョブの投入に続けて、５分以内に投入されたジョブ
【００２９】
また、上記条件（１）〜（４）のうち、複数の条件を組み合わせて情報設定部２１ｃが関係性を判断してもよい。すなわち、情報設定部２１ｃは、ジョブの名称、及び、ジョブを投入したユーザが同じ場合に関係性が有ると判断してジョブにグループＩＤを付与するといった処理が考えられる。また、複数の印刷装置３０がジョブを分散印刷する場合、ジョブ分割部２１ｂによって分割された各ジョブに対して、情報設定部２１ｃが関係性があると判断することで同じグループＩＤが付与される。ここで、情報設定部２１ｃは、グループＩＤが設定されていない他のジョブに対してグループＩＤを設定することができる。
【００３０】
実際には複数のクライアントＰＣ１０からジョブが投入された場合でも、それぞれのジョブ間の関係性を把握する必要がある。このため、関係性を判断した上でグループＩＤを付与する処理は、印刷管理サーバ２０上で実行されることが妥当である。
【００３１】
ジョブ配信部２１ｄは、複数の印刷装置３０毎に異なるジョブを配信する。ジョブ配信部２１ｄにより、分割されていないジョブ、分割ジョブのいずれもが配信される。
【００３２】
分散印刷指示部２１ｅは、複数の印刷装置３０のうち、ユーザにより指定された印刷装置に対して、グループＩＤが一致するジョブの分散印刷を指示する。このため、分散印刷指示部２１ｅは、ジョブ配信部２１ｄがジョブを配信した複数の印刷装置３０のそれぞれに対して、分散印刷の指示を行うことができる。分散印刷の指示は、通信部２１ｆを通じて、複数の印刷装置３０に送信される。
【００３３】
また、分散印刷指示部２１ｅは、印刷装置３０から通知された実行情報に基づいて、印刷装置３０のジョブ実行部３２ｃ（後述する図４を参照）により実行されたジョブに設定されるユーザ認証情報及びグループＩＤと、他のジョブに設定されるユーザ認証情報及び関係情報とを確認する。そして、分散印刷指示部２１ｅは、ユーザ認証情報及び関係情報が一致する場合に、他のジョブが配信された他の印刷装置３０に対し、他のジョブに基づく分散印刷を指示することができる。実行情報とは、あるグループＩＤが設定されたジョブの一つを印刷装置３０が実行したことを印刷管理サーバ２０に知らせるための情報である。また、分散印刷指示部２１ｅは、印刷装置３０からグループＩＤ及び認証結果情報を受信すると、既にジョブを配信した他の印刷装置３０に対して、ユーザ認証情報及びグループＩＤが一致するジョブの実行を指示することもできる。
【００３４】
＜印刷管理サーバのハードウェア構成＞
図３は、印刷管理サーバ２０のハードウェア構成例を示すブロック図である。
【００３５】
印刷管理サーバ２０は、ＣＰＵ（Central Processing Unit：中央処理装置）２３、ＲＯＭ（Read Only Memory）２４、ＲＡＭ（Random Access Memory）２５、記憶装置２６、通信インターフェイス２７を備え、いわゆるコンピューターとして用いられる。印刷管理サーバ２０内の各部は、バスを介して接続されている。
【００３６】
図２に示した制御部２１は、ＣＰＵ２３、ＲＯＭ２４、ＲＡＭ２５によって構成される。制御部２１は、印刷管理サーバ２０内の各部の動作を制御するコンピューターの一例として用いられる。
【００３７】
ＣＰＵ２３は、本実施の形態に係る各機能を実現するソフトウェアのプログラムコードをＲＯＭ２４から読み出し、図２に示したジョブ管理部２１ａ、ジョブ分割部２１ｂ、情報設定部２１ｃ、ジョブ配信部２１ｄ、分散印刷指示部２１ｅ及び通信部２１ｆの処理を実行する。
ＲＯＭ２４は、不揮発性メモリの一例として用いられ、ＣＰＵ２３が動作するために必要なプログラムやデータ等を記憶している。
ＲＡＭ２５は、揮発性メモリの一例として用いられ、ＣＰＵ２３が行う各処理に必要な情報（データ）を一時的に記憶する。
【００３８】
記憶装置２６は、例えばＨＤＤ（Hard Disk Drive）で構成され、ＣＰＵ２３が各部を制御するためのプログラム、ＯＳ（Operating System）、コントローラー等のプログラム、データを記憶する。記憶装置２６に記憶されるプログラム、データの一部は、ＲＯＭ２４にも記憶されている。記憶装置２６は、ＣＰＵ２３によって実行されるプログラムを格納したコンピューターが読取可能な非一過性の記録媒体の一例として用いられる。なお、印刷管理サーバ２０によって実行されるプログラムを格納したコンピューターが読取可能な非一過性の記録媒体としては、ＨＤＤに限定されず、例えば、ＳＳＤ（Solid State Drive）、ＣＤ−ＲＯＭ、ＤＶＤ−ＲＯＭ等の記録媒体であってもよい。記憶装置２６には、図２に示したジョブＩＤ記憶領域２２ｂ、グループＩＤ記憶領域２２ｃ、各種のジョブ等が記憶される。
【００３９】
通信インターフェイス２７は、ＮＩＣ（Network Interface Card）やモデム等で構成され、ネットワーク２を介して各装置との接続を確立し、各種データの送受信を実行する。通信インターフェイス２７は、通信部２１ｆにより動作が制御される。
【００４０】
＜印刷装置の内部構成＞
次に、印刷装置３０の内部構成例について図４を参照して説明する。
図４は、印刷装置３０の内部構成例を示すブロック図である。ここでは、図１に示した印刷装置３０（１）の構成例を説明する。なお、他の印刷装置３０（２）〜（４）は、いずれも印刷装置３０（１）と同様の構成であるため、詳細な説明を省略する。
【００４１】
印刷装置３０（１）は、操作表示部３１、制御部３２、記憶部３３を備える。
操作表示部３１は、例えば、タッチパネルで構成される液晶表示装置であり、印刷装置３０（１）の上部に取付けられる。このため、操作表示部３１は、ユーザからの操作入力を受け付け、記憶部３３に記憶されるジョブを表示することができる。そこで、印刷装置３０（１）の近くにいるユーザは、操作表示部３１を通じて、ユーザＩＤ、パスワード（ユーザ認証情報）を入力することが可能である。この操作入力の内容に基づいて、表示制御部３２ｄは、同じユーザ認証情報が設定されたジョブを印刷対象として表示し、又は表示しない選択を行ってもよい。
【００４２】
なお、操作表示部３１に接続される不図示の読取部（カードリーダ等）により、ユーザが携帯するＩＣカードに記憶されるユーザ認証情報が読取られてもよい。
【００４３】
制御部３２は、ジョブ受信部３２ａ、認証部３２ｂ、ジョブ実行部３２ｃ、表示制御部３２ｄ、通知部３２ｅ、通信部３２ｆを備える。
ジョブ受信部３２ａは、印刷管理サーバ２０からネットワーク２を通じて配信されたジョブを受信する。ジョブ受信部３２ａは、印刷管理サーバ２０のジョブ分割部２１ｂにより分割された分割ジョブも受信する。ジョブ受信部３２ａが受信したジョブ及び分割ジョブは、記憶部３３のジョブ記憶領域３３ａに記憶される。
【００４４】
記憶部３３は、ジョブ記憶領域３３ａ、グループＩＤ記憶領域３３ｂ及びユーザ認証情報記憶領域３３ｃを備える。
ジョブ記憶領域３３ａには、印刷管理サーバ２０から受信した、例えば、分割されていないジョブ、分割ジョブの２種類のジョブが記憶されている。
グループＩＤ記憶領域３３ｂには、複数のジョブの関係性を表すグループＩＤが記憶される。
【００４５】
認証部３２ｂは、操作表示部３１から入力されたユーザ認証情報に基づいてユーザを認証する。この認証に際して、認証部３２ｂは、ユーザ認証情報記憶領域３３ｃに記憶されるユーザ認証情報と、ジョブに設定されたユーザ認証情報とが一致するか判定する。認証部３２ｂは、ユーザ認証情報が一致する場合に、「正当」と判定し、ジョブの実行等の処理を許可する。ユーザ認証情報が一致しない場合には、「不当」と判定し、以降の処理を不許可とする。
【００４６】
ジョブ実行部３２ｃは、認証部３２ｂにより正当と認証されたユーザ認証情報が一致し、かつグループＩＤが一致する、ユーザ認証情報及びグループＩＤが設定されたジョブを記憶部３３から抽出し、ジョブを実行する。ここで、ジョブ実行部３２ｃは、同じユーザ認証情報が設定されたジョブを実行するか否かを、操作表示部３１を通じて行われた操作入力の内容により判断できる。例えば、グループＩＤが異なるジョブがジョブ記憶領域３３ａに記憶されていても、ユーザが許可した場合には、ジョブ実行部３２ｃは、グループＩＤが異なるジョブを実行することが可能である。
【００４７】
ジョブ実行部３２ｃがジョブの実行を開始すると、印刷装置３０（１）内の印刷に関わる各部（用紙搬送部、一次転写部、二次転写部、定着部）等の動作を制御し、ジョブの設定情報に従って印刷を行う。ここで、ジョブ実行部３２ｃは、実行するジョブに設定されるユーザ認証情報及びグループＩＤが一致するジョブであって、他の印刷装置３０に記憶されるジョブを実行する指示を、他の印刷装置３０に対して行うことも可能である。この場合、他の印刷装置３０にて、指示されたジョブの実行が開始される。
【００４８】
表示制御部３２ｄは、操作表示部３１に表示される画面の制御を行う。このため、表示制御部３２ｄは、画面に表示される情報、画面の表示形態等を制御して、ユーザが操作入力可能な画面を操作表示部３１に表示させ、操作入力を促すことが可能である。
【００４９】
通知部３２ｅは、ジョブ実行部３２ｃが実行するジョブに関する実行情報を、通信部３２ｆを通じて印刷管理サーバ２０に通知する。また、通知部３２ｅは、ジョブ実行部３２ｃが実行するジョブに設定されたグループＩＤと、認証部３２ｂがユーザを正常に認証したことを表す認証結果情報を、通信部３２ｆを通じて印刷管理サーバ２０又は他の印刷装置３０に通知することもできる。
【００５０】
通信部３２ｆは、印刷管理サーバ２０からジョブを受信したり、他の印刷装置３０に印刷指示を送信したりする。また、通信部３２ｆは、印刷管理サーバ２０、他の印刷装置３０との間で各種の情報をやり取りすることが可能である。
【００５１】
ここで、他の印刷装置３０として、印刷装置３０（２）を想定した処理は以下のようになる。
例えば、印刷装置３０（２）の認証部３２ｂは、印刷装置３０（１）から受信したグループＩＤ及び認証結果情報が、印刷装置３０（２）が有する記憶部３３から抽出したジョブに設定されるグループＩＤ及び認証結果情報と一致するか判定する。そして、グループＩＤ及び認証結果情報が一致する場合に、印刷装置３０（２）が有するジョブ実行部３２ｃがジョブを自動的に実行する。このようにして、印刷装置３０（１）と印刷装置３０（２）による分散印刷が可能となる。
【００５２】
＜印刷装置のハードウェア構成＞
図５は、印刷装置３０（１）の主要部の構成例を示すハードウェア構成図である。なお、印刷装置３０（１）と同様の構成である他の印刷装置３０（２）〜（４）については、図示及び説明を省略する。
【００５３】
印刷装置３０（１）は、ＣＰＵ３４、ＲＯＭ３５、ＲＡＭ３６、画像形成部３７、記憶装置３８及び通信インターフェイス３９を備え、いわゆるコンピューターとして用いられる。印刷装置３０（１）内の各部は、バスを介して接続されている。
【００５４】
図４に示した制御部３２は、ＣＰＵ３４、ＲＯＭ３５、ＲＡＭ３６によって構成される。制御部３２は、印刷装置３０（１）内の各部の動作を制御するコンピューターの一例として用いられる。
【００５５】
ＣＰＵ３４は、本実施の形態に係る各機能を実現するソフトウェアのプログラムコードをＲＯＭ３５から読み出し、図４に示したジョブ受信部３２ａ、認証部３２ｂ、ジョブ実行部３２ｃ、表示制御部３２ｄ、通知部３２ｅ及び通信部３２ｆの処理を実行する。また、ＣＰＵ３４は、例えば、操作表示部３１を通じて行われるユーザの印刷指示に基づいて画像形成部３７の画像形成処理（印刷動作）を制御する。
【００５６】
ＲＯＭ３５は、不揮発性メモリの一例として用いられ、ＣＰＵ３４が動作するために必要なプログラムやデータ等を記憶している。
ＲＡＭ３６は、揮発性メモリの一例として用いられ、ＣＰＵ３４が行う各処理に必要な情報（データ）を一時的に記憶する。
【００５７】
画像形成部３７は、ＣＰＵ３４の制御部により、用紙に画像を形成し、この画像を用紙に定着する一連の画像形成処理（印刷）を行う。
【００５８】
記憶装置３８は、例えばＨＤＤで構成され、ＣＰＵ３４が各部を制御するためのプログラム、ＯＳ、コントローラー等のプログラム、データを記憶する。記憶装置３８に記憶されるプログラム、データの一部は、ＲＯＭ３５にも記憶されている。記憶装置３８は、ＣＰＵ３４によって実行されるプログラムを格納したコンピューターが読取可能な非一過性の記録媒体の一例として用いられる。なお、印刷管理サーバ２０によって実行されるプログラムを格納したコンピューターが読取可能な非一過性の記録媒体としては、ＨＤＤに限定されず、例えば、ＳＳＤ、ＣＤ−ＲＯＭ、ＤＶＤ−ＲＯＭ等の記録媒体であってもよい。記憶装置３８には、図４に示したジョブ記憶領域３３ａ、グループＩＤ記憶領域３３ｂ及びユーザ認証情報記憶領域３３ｃ等が設けられる。
【００５９】
通信インターフェイス３９は、ＮＩＣやモデム等で構成され、ネットワーク２を介して各装置との接続を確立し、各種データの送受信を実行する。この通信インターフェイス３９は、図４に示した通信部３２ｆにより動作が制御される。
【００６０】
次に、本実施の形態に係るジョブの分割処理、複数のジョブをグループにまとめる処理について図６〜図８を参照して説明する。
図６は、ジョブを分割して、複数の印刷装置３０に分割ジョブを送信する処理の例を示す説明図である。この処理は、印刷管理サーバ２０にて行われる。この処理では、セキュアジョブを分割し、配信する処理について説明する。
【００６１】
始めに、印刷管理サーバ２０のジョブ分割部２１ｂは、記憶部２２から読み出したジョブ１を複数（例えば、３つ）に分割する（Ｓ１）。ここで、ジョブ１は、ある書籍の本身印刷のジョブである。そして、ジョブ１は、例えば、分割ジョブ１−１、１−２、１−３の３つに分割される。分割ジョブ１−１、１−２、１−３のグループＩＤとして、例えば“００１”が割当てられる。
【００６２】
次に、ジョブ分割部２１ｂは、記憶部２２から読み出したジョブ３を複数（例えば、２つ）に分割する（Ｓ２）。ここで、ジョブ３は、表表紙又は裏表紙印刷のジョブである。そして、ジョブ３は、例えば、分割ジョブ３−１、３−２の２つに分割される。分割ジョブ３−１、３−２のグループＩＤとして、例えば“００２”が割当てられる。
【００６３】
このようにジョブ分割部２１ｂがジョブを分割する際には、情報設定部２１ｃが各分割ジョブに対し、グループＩＤを付与する。同じグループＩＤが付与された分割ジョブは、関係性（例えば、親が同一の子）を有することが分かる。なお、分割ジョブに付与する情報は、グループＩＤ以外の識別子であってもよい。
【００６４】
次に、分散印刷指示部２１ｅは、ジョブ１−１，３−２を印刷装置３０（１）に配信し（Ｓ３）、ジョブ１−２，３−１を印刷装置３０（２）に配信し（Ｓ４）、ジョブ１−３を印刷装置３０（３）に配信する（Ｓ５）。
【００６５】
図７は、複数の印刷装置３０に分散された分割ジョブとグループの例を示す説明図である。
【００６６】
ここでは、複数のジョブが複数の印刷装置３０に分散して記憶されている場合に、印刷対象がどのように決定されるかを説明する。そこで、印刷装置３０（１）〜（４）にそれぞれ分割ジョブ、又は分割されていないジョブが配信され、記憶部２２のキューに蓄積されたとする。以下の説明では、分割ジョブ、及び分割されていないジョブを区別しない場合、単に「ジョブ」とも呼ぶ。キューは、例えば、先入れ先出し（ＦＩＦＯ：First In, First Out）で動作するため、キューに蓄積されたジョブは、図中の下から順に取出され、実行される。
【００６７】
まず、認証情報としてユーザＡが設定されたジョブだけに注目して説明する。
印刷装置３０（１）のキューには、ジョブ１−１，２，５が記憶される。印刷装置３０（２）のキューには、ジョブ１−２，３，６が記憶される。印刷装置３０（３）のキューには、ジョブ１−３，１０が記憶される。印刷装置３０（４）のキューには、ジョブ９が記憶される。
【００６８】
ユーザＢが設定されたジョブ４は印刷装置３０（３）に記憶され、ユーザＢが設定されたジョブ８は印刷装置３０（２）に記憶される。
ユーザＣが設定されたジョブ７は印刷装置３０（３）に記憶され、ユーザＣが設定されたジョブ１１は印刷装置３０（１）に記憶される。
【００６９】
分散印刷指示部２１ｅにより分散印刷が指示されるジョブは、起点となるジョブを投入したユーザと同一のユーザで、かつ、起点となるジョブに設定されたグループＩＤと同一のグループＩＤが設定されるものが選ばれる。例えば、ユーザＡが印刷装置３０（１）にてユーザ認証を行った場合、起点となるジョブは、例えば、ユーザが分散印刷の指示を行う際に、最初に選択したジョブである。このため、印刷装置３０（１）に記憶されるジョブ１−１が起点となるジョブとして選択される。ユーザＡがジョブ１−１を選択すると、ジョブ１−１に割当てられたグループＩＤが“００１”である他のジョブ（ジョブ１−２，１−３，２，３）についても印刷対象（１）として自動的に決定される。
【００７０】
また、図７にて、左下がりの斜線の枠で囲って示される印刷対象（２）は、印刷対象（１）で決定された印刷装置３０が実行可能なジョブに合わせて、同じユーザＩＤであるユーザＡのジョブも実行可能であることを表す。このため、グループＩＤが“００１”であるジョブを実行する印刷装置３０（１）〜３０（３）において、ユーザＡが設定されたジョブ５，６，１０についても、グループＩＤが異なるが、分散印刷指示部２１ｅにより印刷対象（２）として決定される。
【００７１】
一方、ジョブ９には、印刷対象（１）と同じグループＩＤ“００１”が設定されておらず、印刷対象（１）で決定された印刷装置３０に記憶されたジョブでもないので、印刷対象（１），（２）のいずれとも関係性がない。このため、ジョブ９は印刷対象外となる。
【００７２】
図８は、キューに蓄積されたジョブの配置がジョブＩＤの順番でない例を示す説明図である。
印刷管理サーバ２０から複数の印刷装置３０に対して分割ジョブが配信される際、必ずしも印刷順でキューに分割ジョブが蓄積されない。
【００７３】
例えば、印刷対象（１）に示すように、ユーザＡが選択したジョブ１−１に設定されるグループＩＤ“００１”と同じグループＩＤが設定される他のジョブ１−２は、印刷装置３０（２）のキューの１番目に配置され、ジョブ１−３は、印刷装置３０（３）のキューの２番目に配置される。
【００７４】
また、印刷対象（２）に示すように、ユーザＡが選択したジョブ２−１に設定されるグループＩＤ“００１”と同じグループＩＤが設定される他のジョブ２−２は、印刷装置３０（２）のキューの３番目に配置され、ジョブ２−３は、印刷装置３０（３）のキューの１番目に配置される。
【００７５】
また、印刷対象（３）に示すように、印刷装置３０（２）のジョブ３−１に設定されるグループＩＤ“００２”と同じグループＩＤが設定される他のジョブ３−２は、印刷装置３０（１）のキューの３番目に配置される。
【００７６】
このように印刷装置３０毎にキューに蓄積される分割ジョブの順番が、ジョブＩＤの順番でない場合は、それぞれの分割ジョブ単位で出力されるように、キュー内における印刷順の調整が行われる。例えば、キューの並び替え、印刷順序リストの編集、ジョブに対する優先度の設定等が行われる。
【００７７】
このため、表示制御部３２ｄは、操作表示部３１から通じて起点として選択されたジョブに関する情報を印刷管理サーバ２０に送信する。そして、印刷管理サーバ２０の分散印刷指示部２１ｅは、ジョブに設定されたグループＩＤと一致するグループＩＤが設定された他のジョブ、及び印刷装置３０で印刷対象として選択された他のジョブの出力順を並び替える指示を行う。
【００７８】
これにより、例えば、印刷装置３０（３）におけるジョブ１−３をキューの１番目とし、ジョブ２−３をキューの２番目とする並び替えが行われる。同様に、印刷装置３０（２）におけるジョブ２−２をキューの２番目とし、ジョブ３−２をキューの３番目とする並び替えが行われる。
【００７９】
このようにキュー内の分割ジョブが並び替えられることで、各印刷装置３０により印刷されるジョブが、ジョブＩＤの順となる。そして、ジョブ実行部３２ｃは、ジョブＩＤの順にジョブを実行する。このため、ユーザＡは、印刷装置３０（１）〜３０（３）の間を行き来して、印刷された用紙を回収した後、用紙の順番を並び替えるような手間を省くことができる。
【００８０】
＜分散印刷の処理例＞
次に、本実施の形態に係る分散印刷の処理について説明する。
図９は、分散印刷システム１の各装置で行われる処理の例を示すフローチャートである。ここでは、主に印刷装置３０（１）が印刷処理を行う例について説明する。この処理では、印刷装置３０（１）において、同じユーザ認証情報及びグループＩＤが設定されるジョブが自動的に実行され、印刷が行われる。
【００８１】
本処理の開始前に、既に印刷装置３０（１）のジョブ受信部３２ａがジョブ１を受信した状態である。ジョブ実行部３２ｃは、受信したジョブ１にセキュアジョブの指定がされているか否かを判断する（Ｓ１１）。ジョブ１にセキュアジョブの指定がされていなければ（Ｓ１１のＮＯ）、ジョブ１は、通常のジョブであるため、ジョブ実行部３２ｃはジョブ１を実行して印刷を開始し（Ｓ１２）、本処理を終了する。
【００８２】
複数の印刷装置３０が連携して分散印刷を行う場合、ユーザは、複数の印刷装置３０の中から選択した１台の印刷装置３０を操作してジョブの印刷を開始する。このため、ジョブ１にセキュアジョブの指定がされていれば（Ｓ１１のＹＥＳ）、認証部３２ｂは、操作表示部３１から入力されたユーザ認証情報に基づいて、認証成功したか否か判断する（Ｓ１３）。この時、ユーザは、その印刷装置３０の操作表示部３１に表示されたＧＵＩ（Graphical User Interface）画面上でユーザ名とパスワードを含むユーザ認証情報を入力する。なお、以降の説明では、セキュアジョブを単に「ジョブ」と呼ぶ。
【００８３】
認証部３２ｂが認証成功していないと判断した場合（Ｓ１３のＮＯ）、ジョブの印刷は開始されず、ステップＳ１３の処理が繰り返される。認証部３２ｂが認証成功したと判断した場合（Ｓ１３のＹＥＳ）、認証されたユーザのユーザＩＤが設定されたジョブの一覧が操作表示部３１に表示される。ユーザは、表示されたジョブの一覧から、印刷を開始したいジョブを選択し、画面に表示される印刷開始ボタン７４（後述する図１２を参照）を押下する。これにより、ユーザが操作する印刷装置３０で実際に出力されるジョブ１が決定され、ジョブ実行部３２ｃはジョブの印刷を開始する（Ｓ１４）。
【００８４】
この時、ユーザが操作する印刷装置３０に記憶されている複数のジョブから、ユーザが印刷開始を指示したジョブ１と同じユーザ認証情報とグループＩＤが設定されたジョブが検索される（Ｓ１５）。そして、ジョブ実行部３２ｃは、検索したジョブについても印刷対象とする。
【００８５】
また、ユーザが印刷開始ボタン７４を押した時に、ユーザが操作している印刷装置３０にて、ジョブ１の印刷が開始されたことを表す通知情報がネットワーク２を通じて他の印刷装置３０に送信される。この通知情報には、ジョブ１のユーザ認証情報、つまりユーザＩＤ、パスワードに加えて、グループＩＤが付加される。
【００８６】
ここで、他の印刷装置３０のネットワーク２上における宛先情報として、ＭＩＢ（Management Information Base）を用いてもよい。また、印刷管理サーバ２０にネットワーク２上に有る印刷装置３０を登録しておき、その登録情報を参照することで、通知情報の送信に利用したり、印刷装置３０が印刷管理サーバ２０に対して、他の印刷装置３０への通知情報の転送を依頼してもよい。
【００８７】
また、印刷装置３０が他の印刷装置３０へ送信する情報、特にユーザ認証情報においてはセキュリティの観点からＨＴＴＰＳ（Hypertext Transfer Protocol Secure）やＳＳＨ（Secure Shell）等のセキュアなプロトコルでやり取りすることが望ましい。また、情報そのものを暗号化したり、ハッシュ化してさらに安全性を高めてもよい。
【００８８】
その際、処理の一形態としては、印刷装置３０の操作表示部３１にユーザ認証情報が入力された時点で、ユーザ認証情報を他の印刷装置３０に送信し、印刷装置３０が印刷開始した時にさらにグループＩＤを含むジョブの開始情報を送る、というように処理を分けて実行してもよい。ただし、ここで入力されたユーザ認証情報が間違っていた場合は当然ジョブの印刷は開始されないため、認証が成功した場合のみ他の印刷装置３０に送信を行う。
【００８９】
再び図９の説明に戻る。
上述したように、ジョブ実行部３２ｃは、記憶部３３に記憶されている他のジョブを検索し（Ｓ１５）、検索したジョブ２を記憶部３３から読み出す。そして、ジョブ実行部３２ｃは、検索したジョブ２に対して、既に印刷したジョブ１と同じユーザ認証情報が設定されているか判断する（Ｓ１６）。ジョブ２に対して、ジョブ１と同じユーザ認証情報が設定されていなければ（Ｓ１６のＮＯ）、本処理を終了する。
【００９０】
一方、ジョブ２に対して、ジョブ１と同じユーザ認証情報が設定されていれば（Ｓ１６のＹＥＳ）、ジョブ実行部３２ｃは、ジョブ２が、既に印刷したジョブ１と同じグループＩＤが設定されているか判断する（Ｓ１７）。ジョブ１と同じグループＩＤが設定されていなければ（Ｓ１７のＮＯ）、ジョブ実行部３２ｃは、ステップＳ１９に移行する。
【００９１】
一方、ジョブ１と同じグループＩＤが設定されていれば（Ｓ１７のＹＥＳ）、ジョブ実行部３２ｃは、このジョブ２の印刷を開始する（Ｓ１８）。次に、ジョブ実行部３２ｃは、記憶部３３にジョブの残りがあるか否かを判断する（Ｓ１９）。ジョブの残りがあれば（Ｓ１９のＹＥＳ）、ジョブ実行部３２ｃは、ステップＳ１５に戻ってジョブを実行して残りの印刷を行うための処理を続ける。
【００９２】
一方、ジョブの残りがなければ（Ｓ１９のＮＯ）、ジョブ実行部３２ｃは、他の印刷装置３０（２）にアクセスして、他の印刷装置３０（２）に記憶されているジョブを検索する（Ｓ２０）。また、ジョブ実行部３２ｃは、印刷管理サーバ２０に対して、印刷装置３０（１）における印刷処理が完了したことを通知する。その後、本処理を終了する。
【００９３】
なお、説明の都合上、ステップＳ２０にて印刷装置３０（１）のジョブ実行部３２ｃがアクセスするのは、他の印刷装置３０（２）に限定した。しかし、ジョブ実行部３２ｃは、印刷管理サーバ２０で管理され、ネットワーク２に接続される、全ての印刷装置３０にアクセスしてジョブを検索してもよい。
【００９４】
図１０は、印刷管理サーバ２０と、他の印刷装置３０（２）の処理の例を示すフローチャートである。この処理は、図９に示した印刷装置３０（１）の処理後に行われる。
【００９５】
始めに、印刷管理サーバ２０の分散印刷指示部２１ｅは、印刷装置３０（１）から受信した通知（実行情報）に基づいて、ジョブ１が認証され、印刷されたことを検出する（Ｓ３１）。次に、分散印刷指示部２１ｅは、他の印刷装置３０（２）内に記憶されている他のジョブを検索する（Ｓ３２）。このとき、既に印刷されたジョブ２と同じグループＩＤが設定された他のジョブとして、ジョブ３が記憶部３３に記憶されていたとする。
【００９６】
次に、印刷装置３０（２）の認証部３２ｂは、検索されたジョブ３に、既に印刷されたジョブ１と同じユーザ認証情報が設定されているか判断する（Ｓ３３）。ジョブ３にジョブ１と同じユーザ認証情報が設定されていなければ（Ｓ３３のＮＯ）、本処理を終了する。
【００９７】
一方、認証部３２ｂは、ジョブ３にジョブ１と同じユーザ認証情報が設定されていれば（Ｓ３３のＹＥＳ）、ジョブ３がジョブ１と同じグループＩＤを設定されているか判断する（Ｓ３４）。ジョブ３にジョブ１と同じグループＩＤが設定されていなければ（Ｓ３４のＮＯ）、ジョブ実行部３２ｃは、ステップＳ３６に移行する。
【００９８】
一方、ジョブ３にジョブ１と同じグループＩＤが設定されていれば（Ｓ３４のＹＥＳ）、ジョブ実行部３２ｃは、このジョブ３に基づいて印刷を開始する（Ｓ３５）。次に、ジョブ実行部３２ｃは、記憶部３３に分割ジョブの残りがあるか否かを判断する（Ｓ３６）。分割ジョブの残りがあれば（Ｓ３６のＹＥＳ）、ジョブ実行部３２ｃは、ステップＳ３３に戻ってジョブを実行して残りの印刷を行うための処理を続ける。
【００９９】
一方、分割ジョブの残りがなければ（Ｓ３６のＮＯ）、ジョブ実行部３２ｃは、印刷管理サーバ２０に対して、印刷装置３０（２）における印刷処理が完了したことを通知する。その後、本処理を終了する。
【０１００】
このように他の印刷装置３０（２）においては、印刷装置３０（１）の処理によって送信されたジョブ１に関する情報を受信した際に、必要な復号化等の処理を実施した上で、他の印刷装置３０（２）が記憶部３３に記憶するジョブを検索し、印刷を開始する。
【０１０１】
なお、図１０に示した処理は、他の印刷装置３０（２）が単独で行ってもよい。また、図１０では、印刷管理サーバ２０と他の印刷装置３０（２）の処理について説明したが、他の印刷装置３０（２）以外の印刷装置３０（３）等においても、図１０と同じ処理が並行して行われる。
【０１０２】
また、印刷装置３０（１）が、ユーザ認証情報とグループＩＤを異なるタイミングで別々に送信する場合、まず、他の印刷装置３０（２）は、ユーザ認証情報が一致したジョブの一覧を保持しておく。その後、グループＩＤを受信すると、保持しておいた一覧の中からグループＩＤが同じものを選択し、印刷対象とした上で、印刷装置３０（１）への応答処理を実行する。
【０１０３】
これらの処理が自動的に実行される場合、起点となるジョブが指定された印刷装置３０に対して何らかの応答、つまりジョブの印刷が開始されたかどうかを結果表示画面（後述する図１５を参照）によりユーザに通知することが望ましい。つまり、他の印刷装置３０（２）は、印刷装置３０（１）から情報を受信した後、印刷を開始したならば、印刷開始したジョブのジョブＩＤや名称などの情報を送信元の印刷装置３０（１）、又は印刷管理サーバ２０に返し、印刷対象がなければその旨（印刷を行わなかったことを表す通知等）を返答する。ただし、分散印刷システム１が全自動で処理を行う場合、ユーザは、印刷が行われなかったことを表す通知を煩わしく感じる場合があるため、このような通知は必須でない。
【０１０４】
次に、印刷装置３０の操作表示部３１に表示される画面の構成例について、図１１〜図１５を参照して説明する。
図１１は、通常のジョブの選択画面６０の表示例を示すユーザ・インターフェイス図である。
【０１０５】
選択画面６０には、ユーザが操作する印刷装置３０（１）に記憶されているジョブの情報として、ジョブ名、ユーザ、ページ数、グループＩＤの各項目が表示される自装置ジョブ表示部６１が設けられる。ユーザは、自装置ジョブ表示部６１に表示されたジョブの情報を確認して、印刷装置３０（１）に実行させるジョブを選択する。ユーザにより選択され、又は分散印刷指示部２１ｅの指示により印刷管理サーバ２０により選択されたジョブは、色を変えて強調表示される。この例では、グループＩＤが“００１”で特定されるジョブ１−１，２が選択されたことが示される。
【０１０６】
この選択画面６０には、グループＩＤで一つにまとめられたジョブのうち、印刷装置３０（１）に記憶されているジョブしか表示されない。そして、ユーザが、印刷開始ボタン６２を押す操作を行ってジョブの実行を指示した後、印刷装置３０（１）がジョブを実行して印刷を開始する。また、印刷装置３０（１）にて印刷開始ボタン６２を押す操作が行われると、他の印刷装置３０（２）〜（４）のいずれかに記憶され、グループＩＤで特定される他のジョブについても自動的に選択され、印刷が開始される。
【０１０７】
図１２は、他の印刷装置３０（２）〜（４）に記憶されるジョブを表示可能な選択画面７０の表示例を示すユーザ・インターフェイス図である。
【０１０８】
図１１に示した選択画面６０を使用するユーザの利便性をさらに高めるための形態として、図１２に示す選択画面７０が考えられる。この選択画面７０では、選択画面６０のように自動的にジョブ１以外のジョブの印刷を開始するのではなく、印刷対象のジョブを印刷開始前に一覧表示することを可能とする。
【０１０９】
選択画面７０には、図１１に示した選択画面６０と同様にジョブ名、ユーザ、ページ数、グループＩＤの各項目が表示される他、ネットワーク２に接続された各印刷装置３０の名称である印刷装置名も表示される。選択画面７０には、印刷対象となるジョブが、選択画面７０が表示される印刷装置３０（１）だけでなく、他の印刷装置３０（２）〜（４）についても表示される。
【０１１０】
選択画面７０の上側には、選択画面７０が表示される印刷装置３０（１）が記憶するジョブの情報が表示される自装置ジョブ表示部７１が設けられる。自装置ジョブ表示部７１には、ジョブ名、ユーザ、ページ数、グループＩＤの項目に加えて、印刷装置の項目が含まれる。そして、印刷装置の項目には、印刷装置３０（１）を表す「Ｐｒｔ１」と表示される。
【０１１１】
選択画面７０の下側には、他の印刷装置３０（２）〜（４）が記憶するジョブの情報が表示される他装置ジョブ表示部７２が設けられる。他装置ジョブ表示部７２に表示される項目は、自装置ジョブ表示部７１に表示される項目と同じである。そして、他の印刷装置３０（２）〜（４）に記憶されるジョブの情報と共に、印刷装置の項目に印刷装置３０（２）〜（４）を表す「Ｐｒｔ２」〜「Ｐｒｔ４」が表示される。
【０１１２】
他装置ジョブ表示部７２の下には、ユーザが同じグループＩＤのジョブのみを表示することを指示するために用いられるチェックボックス７３が設けられる。図１２では、チェックボックス７３がチェックされていない状態である。この状態では、印刷装置３０（１）に記憶されるジョブに設定されるグループＩＤ（“００１”，“００２”）以外のグループＩＤ（“００３”，“０１０”）を持つジョブの情報についても他装置ジョブ表示部７２に表示される。
【０１１３】
ユーザが、印刷装置３０（１）にてグループＩＤ“００１”で特定されるジョブ１−１，２を手動で選択すると、他の印刷装置３０（２）〜（４）のグループＩＤ“００１”で特定されるジョブ１−２，３，１−３も自動的に選択され、色を変えて強調表示される。このように選択画面７０には、選択画面７０が表示される印刷装置３０（１）に記憶され、起点となるジョブ（１−１）と同一のユーザ、かつ同一のグループＩＤが設定され、他の印刷装置３０（２），（３）に記憶されるジョブが表示され、選択可能な状態となる。
【０１１４】
このように選択画面７０により、分散印刷システム１が有する全ての印刷装置３０について、同じユーザ認証情報を持つジョブの一覧を印刷装置３０（１）で表示可能となる。さらに、印刷装置３０（１）では、同じグループＩＤを持つジョブ（印刷開始対象のジョブ）をデフォルトで選択状態とすることで、グループＩＤが同じジョブをユーザに分かりやすく示すことができる。
【０１１５】
選択画面７０では、ユーザがどのジョブを実際に印刷するかを設定可能である。この設定は、例えば、一覧表示されたリスト内のジョブをユーザがクリックすることで、印刷対象としてジョブを追加したり、印刷対象からジョブを削除したりする操作により行われる。操作表示部３１は、特定のグループＩＤが設定されたジョブが印刷対象であることを画面に表示し、ユーザの操作入力により、印刷対象に含まれるジョブの追加又は削除を受け付ける。
【０１１６】
表示制御部３２ｄが、ジョブの実行前に、印刷対象となったジョブの一覧を画面に表示させる際には、ユーザにより起点として選択されたジョブに設定されたグループＩＤと一致するグループＩＤが設定された他のジョブと、一致しないグループＩＤが設定された他のジョブとの表示形態（例えば、表示色）を変えて操作表示部３１に表示する。このため、ユーザは、印刷対象となったジョブ、印刷対象となっていないジョブのいずれをも画面上で確認することができる。
【０１１７】
なお、同じグループＩＤで特定される複数のジョブが自動的に選択され、ジョブが実行されてもよい。しかし、選択されたジョブを選択画面７０に一旦表示することで、ユーザが、印刷対象であるジョブを確認したり、別のジョブを印刷対象に追加したり、印刷対象からジョブを削除したりする操作が可能となる。また、グループＩＤが異なるジョブは自動的に選択される印刷対象ではないが、ユーザが任意で印刷対象に加えることも可能である。
【０１１８】
現在選択されているジョブと関係性がないジョブ９は、他装置ジョブ表示部７２にてグレー表示とされる。例えば、ジョブ９のグループＩＤ“００２”は、自装置ジョブ表示部７１に表示される印刷装置３０（１）のグループＩＤ“００１”とは異なる。そして、ジョブ９は、図７に示した印刷装置３０（４）に記憶されている。そこで、ジョブ９は、グレー表示され、現在選択されているジョブと関係性がないことが示される。なお、ジョブ９自体を、リストから非表示としてもよい。また、ユーザが、印刷装置３０（４）にジョブ９があることを確認した上で、印刷装置３０（４）にジョブを印刷させるのであれば、ジョブ９を印刷対象として選択することもできる。
【０１１９】
このように印刷装置３０（１）が、他の印刷装置３０（２）〜（４）に記憶されているジョブを表示するには、図９，図１０に示したフローチャートにおけるセキュアジョブの印刷処理において、「印刷開始」のステップＳ１４，Ｓ１８，Ｓ３５の処理が、それぞれ「印刷開始対象としてリスト登録」に変更される必要がある。リストとは、例えば、選択画面７０にジョブの一覧を表示するために、印刷対象毎にまとめられたジョブの並びを表す。そして、図９，図１０に示した各フローチャートが終了した後、印刷開始対象としてリスト登録されたジョブの一覧が選択画面７０に表示される。
【０１２０】
その後、ジョブ実行部３２ｃは、印刷対象に含まれるジョブを実行して印刷を開始する。印刷の開始は、ユーザが印刷開始ボタン７４を押すことで行われてもよいし、自動的に行われてもよい。
【０１２１】
選択画面７０の機能を実現するには、例えば、印刷装置３０（１）がジョブ１に対するユーザ認証を行った時点で、正当と認証したユーザ認証情報を他の印刷装置３０（２）〜（４）に送信すると良い。ユーザ認証情報を受信した他の印刷装置３０（２）〜（４）のいずれかが、同じユーザ認証情報が設定されたジョブを記憶していれば、そのジョブに関する情報（ジョブＩＤ、ジョブ名、グループＩＤ）を印刷装置３０（１）に返答する。
【０１２２】
ただし、複数の印刷装置３０間でユーザ認証情報及びジョブに関する情報をやり取りするのでなく、印刷管理サーバ２０を経由してやり取りしてもよい。また、印刷管理サーバ２０は、各印刷装置３０に配信したジョブの一覧を保持しておき、印刷装置３０（１）から受信したユーザ認証情報に一致するユーザ認証情報が設定されたジョブを印刷装置３０（１）に返答してもよい。
【０１２３】
図１３は、同じグループＩＤのジョブだけが表示される選択画面７０の表示例を示すユーザ・インターフェイス図である。
【０１２４】
印刷装置３０（１）に記憶されるジョブの数が多いと、操作表示部３１に多数のジョブが表示され、ユーザがジョブを選択しにくくなる。このため、チェックボックス７３がチェックされると、表示制御部３２ｄは、ユーザが選択したグループＩＤを持つジョブだけを自装置ジョブ表示部７１及び他装置ジョブ表示部７２に表示するフィルタリングを実施できる。
【０１２５】
例えば、ユーザが自装置ジョブ表示部７１でグループＩＤが“００１”であるジョブを選択すると、他装置ジョブ表示部７２には、他の印刷装置３０（２），（３）が記憶するジョブの内、グループＩＤが“００１”であるジョブだけが自動的に選択され、表示される。このようにグループＩＤが異なるジョブを非表示にすることで、ユーザは、印刷対象とするジョブのグループＩＤが同じジョブだけを確認できる。
【０１２６】
ここで、印刷装置３０（１）がユーザ認証を行った時点ではユーザ認証情報を他の印刷装置３０（２）〜（４）に送信しないようにする。そして、印刷装置３０（１）がユーザ認証情報を正当と判定した後、さらにユーザによりジョブが選択されたタイミングで、印刷装置３０（１）が、印刷装置３０（２）〜（４）に対して、ユーザ認証情報と、選択されたジョブのグループＩＤとを送信する。そして、他の印刷装置３０（２）〜（４）からは、グループＩＤが同じジョブの情報だけを印刷装置３０（１）に返答させる。これにより、各印刷装置３０間における不要な通信を削減することができる。
【０１２７】
ユーザ認証情報及びグループＩＤが一致するジョブを実行する印刷装置３０（２）〜（４）が、同じユーザ認証情報が設定され、グループＩＤが異なるジョブを記憶している場合がある。ただし、印刷装置３０（２）〜（４）は、印刷装置３０（１）にて認証されたユーザが投入したジョブのグループＩＤが異なっていても印刷対象としてよい。例えば、ジョブ１−１の印刷を行う印刷装置３０（１）は、ジョブ１−１の印刷と共に、他のジョブについても印刷可能であるという関係性が存在するためである。そして、起点となるジョブを印刷する印刷装置３０（１）に対して、他の印刷装置３０（２）〜（４）がジョブ情報を返答することで、印刷装置３０（１）は、ユーザに印刷対象となるジョブを表示したり、ジョブの追加又は削除の設定を行ったりすることが可能となる。
【０１２８】
また、グループＩＤが同じであるが、異なる印刷装置３０に配信されたジョブについても印刷対象として自動的に印刷を実行可能とする。ジョブを印刷する印刷装置３０（２）〜（４）は、印刷された用紙の回収対象でもある。このため、同じグループＩＤが設定されたジョブが印刷装置３０（２）〜（４）で印刷されると、ユーザは、印刷装置３０（２）〜（４）に行って、印刷された用紙を回収する。このため、印刷装置３０（２）〜（４）に近づいた他のユーザに印刷された用紙が見られてしまうというセキュリティ上の問題も生じなくなる。
【０１２９】
図１４は、起点となるジョブと同じグループＩＤが設定されるジョブと、起点となるジョブに関係するジョブとが表示される選択画面７０の表示例を示すユーザ・インターフェイス図である。
【０１３０】
選択画面７０が印刷対象となるジョブを表示する場合、起点となるジョブに設定されたグループＩＤと同じグループＩＤが設定されるジョブと、グループＩＤが異なるにも関わらず印刷対象となったジョブは異なる。そこで、図１４に示す選択画面７０では、ユーザが印刷対象となったジョブを見分けやすくするために、印刷対象毎に表示形態（表示色等）を変えてジョブを表示する。
【０１３１】
図１４に示す選択画面７０には、印刷装置３０（１）にて起点となるジョブ１−１が選択されると、ジョブ１−１と同じグループＩＤ“００１”であるジョブ２が自装置ジョブ表示部７１に表示されることが示される。また、ジョブ１−１と同じグループＩＤ“００１”であるジョブ１−２，３，１−３が他装置ジョブ表示部７２にも表示される。
【０１３２】
チェックボックス７３はチェックされていないので、グループＩＤ“００１”とは異なるグループＩＤを持つジョブ６，１０，９についても他装置ジョブ表示部７２に表示される。ここで、ジョブ６，１０は、グループＩＤが“００１”であるジョブを実行した際に動作する“Ｐｒｔ２”、“Ｐｒｔ３”で表される印刷装置３０（２），（３）にて実行可能なジョブである。そこで、グループＩＤ“００１”が設定されたジョブとは異なる色でジョブ６，１０の情報が表示される。このため、ユーザは、印刷装置３０（２），（３）で印刷されたことが分かり、印刷装置３０（２），（３）に行ってグループＩＤ“００１”の印刷物を回収する際に、グループＩＤ“００３”、“０１０”の印刷物を回収することもできる。
【０１３３】
ただし、ジョブ９を実行可能な印刷装置３０（４）は、ユーザが印刷物を回収するために立ち寄る印刷装置３０（１）〜（３）とは異なる場所にある。このため、ユーザは、印刷装置３０（１）〜（３）に立ち寄った際、併せて印刷装置３０（４）に立ち寄るかは判断できない。このため、ジョブ９については、他のジョブとは異なる色で表示される。
【０１３４】
なお、図１２〜図１４に示した選択画面７０の表示形態では、グループＩＤが同じジョブの情報、グループＩＤは異なっても関連性があるジョブの情報は、異なる色で表示したが、これらの情報を区別できる表示形態を選択画面７０に採用してもよい。例えば、関連性があるジョブだけをまとめた他装置ジョブ表示部を新たに設けて、他装置ジョブ表示部７２に表示されたジョブのリストを分けてジョブを表示する表示形態としてもよい。また、選択画面７０は、グループＩＤが同じジョブの情報、グループＩＤは異なっても関連性があるジョブの情報、及び関連性がないジョブの情報毎にタブ表示する表示形態としてもよい。
【０１３５】
図１５は、印刷結果画面８０の表示例を示すユーザ・インターフェイス図である。
【０１３６】
表示制御部３２ｄは、ジョブの実行後に、ジョブ実行部３２ｃにより実行されたジョブの一覧と、ジョブを実行した印刷装置３０の一覧とを画面に表示させる制御を行う。例えば、表示制御部３２ｄにより表示が制御される印刷結果画面８０には、ジョブ名及び印刷装置名の項目が表示される印刷開始ジョブ表示部８１が含まれる。選択画面７０で選択されたジョブの印刷が自動的に開始されると、開始されたジョブ、このジョブの印刷を開始した印刷装置３０の名称が印刷結果画面８０に表示される。ユーザは、印刷開始ジョブ表示部８１に表示されたジョブ名及び印刷装置名を確認することで、どの印刷装置３０で何のジョブの印刷が開始されたかを把握することができる。なお、印刷結果画面８０は、ジョブの実行中に表示されてもよい。
【０１３７】
以上説明した一実施の形態に係る分散印刷システム１では、セキュリティを確保した分散印刷を行うために、まず、ユーザが特定の印刷装置３０（１）にてユーザ認証情報（ユーザ名、パスワードなど）を入力する。そして、印刷装置３０（１）にて分散印刷の一部分が印刷開始されると、他の印刷装置３０（２）〜（４）においても、印刷装置３０（１）から受信したユーザ認証情報とグループＩＤが一致するユーザ認証情報とグループＩＤが設定された他のジョブの印刷が開始される。このように他の印刷装置３０（２）〜（４）は、ユーザ認証情報とジョブグループＩＤの二要素で印刷対象とするかどうかを判定することができる。
【０１３８】
ただし、同じユーザ認証情報が設定されていても、グループＩＤが異なるジョブであっても、そのジョブを記憶する印刷装置３０が既に印刷する担当になっている場合、グループＩＤが異なるジョブの印刷を開始してよい。グループＩＤが異なるジョブが開始されても、既に印刷装置３０が印刷するように指示されたジョブの印刷を開始するため、この印刷装置３０にユーザが印刷物を回収しに来る。このため、出力された印刷物が放置されて他のユーザに内容が見られてしまうというセキュリティ上の問題は生じない。これによって、複数の印刷装置３０にある同じユーザ認証情報を持つジョブをすべて印刷してしまうのではなく、関係性があるジョブだけに絞って、かつセキュリティを確保して印刷することが可能になる。
【０１３９】
また、複数のジョブが複数の印刷装置３０に分散して記憶される場合に、各印刷装置３０がジョブを受信したタイミング次第ではキューに積まれた順番のまま印刷を開始することが適切でない。このため、ジョブの番号順に印刷が行われるよう、キュー内のジョブの入替が行われる。これにより、ジョブが順番（例えば、ジョブＩＤの順）に印刷されるようになり、印刷装置３０で印刷された用紙をユーザが並べ替える手間を省くことができる。
【０１４０】
［変形例］
なお、上述した実施の形態に係る分散印刷システム１では、ユーザがクライアントＰＣ１０を操作してジョブの投入処理を実行した後、ジョブが印刷管理サーバ２０に送られる。そして、印刷管理サーバ２０にて、ジョブ間の関係性が判断された後、必要であればグループＩＤが付与され、分散印刷が指定される複数の印刷装置３０に分割ジョブが送られる。ただし、一つのジョブを元に分散印刷をする場合には、クライアントＰＣ１０上でジョブを分割し、分割したジョブを複数の印刷装置３０に配信すると共に、分散印刷の指示を行うことも可能である。この場合、クライアントＰＣ１０の構成は、印刷管理サーバ２０と同様の構成とされる。このため、分散印刷システム１から印刷管理サーバ２０を除いても、クライアントＰＣ１０が分割ジョブの関係性を設定し、グループＩＤを複数の印刷装置３０に送信することが可能である。
【０１４１】
また、上述した実施の形態に係る分散印刷システム１では、起点となるジョブを印刷する印刷装置３０（１）から、他の印刷装置３０（２）〜（４）に向けて情報を送信し、受信した印刷装置３０側でさらにジョブの検索処理などを行い、返答する構成とした。ただし、印刷装置３０（１）が他の印刷装置３０に対してジョブリストの返信要求を送信してもよい。この場合、印刷装置３０（１）が、他の印刷装置３０からジョブリストを受信した後、印刷装置３０（１）の中で同じユーザ認証情報かつ同じグループＩＤを持つジョブを検索してもよい。そして、印刷装置３０（１）は、印刷開始対象とするかを判定した判定結果を操作表示部３１の画面上に表示してもよい。
【０１４２】
また、印刷装置３０（１）は、複数台の印刷装置３０を管理している印刷管理サーバ２０に対してジョブの検索、印刷開始対象の判定を実行するようにリクエストを送信し、結果を受信してもよい。この場合、印刷管理サーバ２０が他の印刷装置３０に対してジョブリストの返信要求を送信し、ジョブの検索、印刷開始対象の判定を実行した後、返信要求への応答として、判定結果であるジョブリストを印刷装置３０（１）に送信する。
【０１４３】
なお、本発明は上述した実施の形態に限られるものではなく、特許請求の範囲に記載した本発明の要旨を逸脱しない限りその他種々の応用例、変形例を取り得ることは勿論である。
例えば、上述した実施の形態は本発明を分かりやすく説明するために装置及びシステムの構成を詳細かつ具体的に説明したものであり、必ずしも説明した全ての構成を備えるものに限定されない。また、ここで説明した実施の形態の構成の一部を他の実施の形態の構成に置き換えることは可能であり、さらにはある実施の形態の構成に他の実施の形態の構成を加えることも可能である。また、各実施の形態の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１４４】
１…分散印刷システム、２０…印刷管理サーバ、２１ａ…ジョブ管理部、２１ｂ…ジョブ分割部、２１ｃ…情報設定部、２１ｄ…ジョブ配信部、２１ｅ…分散印刷指示部、３０…印刷装置、３１…操作表示部、３２ａ…ジョブ受信部、３２ｂ…認証部、３２ｃ…ジョブ実行部、３２ｄ…表示制御部、３２ｅ…通知部、３２ｆ…通信部
【図１】
2020107029.tif 000003
【図２】
2020107029.tif 000004
【図３】
2020107029.tif 000005
【図４】
2020107029.tif 000006
【図５】
2020107029.tif 000007
【図６】
2020107029.tif 000008
【図７】
2020107029.tif 000009
【図８】
2020107029.tif 000010
【図９】
2020107029.tif 000011
【図１０】
2020107029.tif 000012
【図１１】
2020107029.tif 000013
【図１２】
2020107029.tif 000014
【図１３】
2020107029.tif 000015
【図１４】
2020107029.tif 000016
【図１５】
2020107029.tif 000017